(57)【要約】【課題】  簡単な構造と簡単な作業によりドア部の高さ調整を可能とし、且つドア部の回転動作に過大な抵抗を生じさせることのないドア部取付け構造及びこれを用いたドアシステムを提供すること。【解決手段】  ドア枠部５００に取り付けられる固定側部材１０は、ドア枠部に固定されたベース部１２と、ベース部１２の側部から延出して設けられた支持部と、支持部にベース部固定状態における上下方向に位置調整可能に保持される心棒１６と、を有し、ドア部３００に取り付けられる自由側部材２０はベース部２２と、ベース部２２の側部から延出して設けられ、心棒１６に上方から被せられ天井内側面２８ａで心棒１６の上端部と当接される心棒受け部２８と、を有し、ドア部３００は、固定側部材１０の心棒上端部１６ｂと自由側部材２０の心棒受け部２８との当接状態にてドア枠部５００に支持されている。【選択図】  図５
0003115846.tif 000002
【実用新案登録請求の範囲】
【請求項１】
ドア枠部に設けられる固定側部材と、ドア部に設けられる自由側部材とによってドア部をドア枠部に取り付けるドア部取付け構造において、
前記固定側部材は、
ドア枠部に固定されたベース部と、該ベース部の側部から延出して設けられ前記固定状態でドア枠部から側方に突出する支持部と、該支持部に前記ベース固定状態における上下方向に位置調整可能に保持される心棒と、を有し、
前記自由側部材は、
前記ドア部に固定されるベース部と、
該ベース部の側部から延出して設けられ前記固定状態でドア部から側方に突出し、前記心棒に上方から被せられ天井内側面で前記心棒の上端部と当接される心棒受け部と、
を有し、前記ドア部は、前記固定側部材の心棒上端部と前記自由側部材の心棒受け部との前記当接状態にて前記ドア枠部に支持されることを特徴とするドア部取付け構造。
【請求項２】
前記心棒の上下方向の位置調整のための構造は、
前記支持部に設けられ内部にねじ部の形成された円筒状の心棒保持筒と、
前記心棒の外周面に前記心棒保持筒のねじ部に螺合可能に形成されたねじ部とによって構成され、
前記心棒を前記心棒保持筒内で回転させることによって、前記支持部による前記心棒の上下方向の保持位置を調整するようにしたことを特徴とする請求項１に記載のドア部取付け構造。
【請求項３】
前記心棒の上端部は略球面凸状に形成され、
前記心棒受け部の前記天井内側面は平坦面に形成され、
前記心棒の上端部の前記心棒受け部の前記天井内側面への当接は略点接触状態となることを特徴とする請求項１又は２の何れか１項に記載のドア部取付け構造。
【請求項４】
前記支持部の心棒保持筒の下端部は少なくとも中央部が開放端とされ、
前記心棒の前記心棒保持筒への螺合状態における下端面には外部からの回転力を受けるための係止部が形成されたことを特徴とする請求項１から３の何れか１項に記載のドア部取付け構造。
【請求項５】
前記請求項１から４の何れかに記載のドア部取付け構造を備え、
前記ドア部のサイズは、前記ドア部の初期取付状態におけるドア部上端面と前記ドア枠部の上辺部内側面との間に前記ドア部の上方移動を許容する間隙を確保できる大きさとされ、
前記ドア部の上端部には、前記初期取付状態におけるドア閉状態で前記間隙を覆い、且つ前記ドア枠部の上辺部の外表面まで伸びる上部延出部が設けられたことを特徴とするドアシステム。
【請求項６】
前記請求項１から４の何れかに記載のドア部取付け構造を備え、
前記ドア部側のラッチボルト及びデッドボルトの突出動作を許容するために前記ドア枠部の側辺部に設けられる凹部の形成領域を上方へ延長したことを特徴とするドアシステム。
【考案の詳細な説明】
【技術分野】
【０００１】
本考案はドア部取付け構造及びそれを用いたドアシステム、特に、ドア部の高さ位置を調整可能なドア部取付け構造及びそれを用いたドアシステムに関するものである。
【背景技術】
【０００２】
一般の住居内に設置される回転式のドアについては、特にドアの高さ調整機構は設けられておらず、例えば、フローリング仕上げの床に後から絨毯などの敷物を敷くような場合、敷物の厚みの分、床部が上昇したこととなる。したがって、ドアの回転動作範囲においては敷物の厚みによってはドアの下端面が敷物に衝突しドアの回転動作に支障が生じることがある。
【０００３】
特許文献１には、ピボットヒンジを用いたドアの吊り高さを調節する技術が開示されている。この技術は、軽量のドアを対象とした高さ調整ではなく、重量の大きなドアにも耐えうる高さ調整機構に関するものである。すなわち、従来のようにピボット軸でドアの全荷重を受けていた状況では、大きな重量のドアの場合、ピボット軸と受け座の接触部分に摩滅や損傷が発生しやすく、その基本構成のまま高さ調整機構を設けることは困難であったという課題を解決せんとするものである。
【０００４】
この技術では、ピボットヒンジの縦軸（４）でドアの回転を拘束し、スラスト軸受け（１３）でドアの全荷重を支え、このスラスト軸受け（１３）にて支えられる調節ねじ（１６）でドアの高さを調節するように構成している。これにより、ドアの荷重は縦軸（４）自体には作用せず、スラスト軸受け（１３）と調節ねじ（１６）に作用し、ドアの吊り高さ調整は調節ねじ（１６）の回転により行うようにしている。
【０００５】
次に、特許文献２では、同じくドアの上下方向位置の調整のためのドア用ヒンジの技術が開示されている。この技術は、ドアとドア枠とをつなぐヒンジ部に１対のボルト部材とナット部材の何れかを付設して、ボルト部材を回動調整できるようにしたものである。この構成により、ドアの上下方向位置の調整に当たってドアヒンジの取付位置自体を移動させる作業を行うことなく、簡単な構造と動作によりドアの上下位置の調整を行うことが可能となっている。特に、特徴的なことは、ボルト部材の回動調整によりドアの上下位置調整を行うことができることに加え、通常のドアの回転動作中にドアの回転角度が大きくなるに連れドアの下端部と床面との間隔を大きくする、すなわち、ドアの上下位置を上昇させることができる点である。これにより、床面の平坦度が悪い場合にも適用できるようにしたものである。
【０００６】
【特許文献１】特許第２５１９０９７号
【特許文献２】実公昭６０−１７２９７２号
【考案の開示】
【考案が解決しようとする課題】
【０００７】
しかしながら、上記特許文献１の技術では、重量の大きなドアの吊り位置の高さ調整の構造であることから、軸の近傍の連結構造が複雑であり、一般の住居内の部屋を仕切る軽量なドアの高さ位置調整としては不向きであり、一般のユーザーが簡単に構造を理解した上で自らドアの高さ調整を行う構成としては適用が困難である。
【０００８】
また、特許文献２に係るドア用ヒンジの場合、一般の住居等における軽量なドアの上下位置調整構造としては好適である。しかし、簡単な高さ維持調整を可能としているため、ドアの回転動作が常にボルト部材とナット部材の結合関係に基づいて行われる構造となっている。すなわち、ドアが回転動作する際には常にボルト部材の回りをナット部材がその切られたねじ溝に沿って回転動作し、その結果としてドアの上下位置が回転動作中にも変化する。したがって、ヒンジ部におけるボルト部材とナット部材との間の摩擦は大きなものとなり、頻繁に開閉される状況や子供などが勢いよくドアを開け閉めする様な状況では、高度の耐久性が要求され、また油差しなど回転動作の円滑性を確保するためのメンテナンスも要求されることとなる。
【０００９】
本件考案は、この様な現状に鑑みてなされたものであり、その目的は、簡単な構造と簡単な作業によりドア部の高さ調整を可能とし、且つドア部の回転動作に過大な抵抗を生じさせることのないドア部取付け構造及びこれを用いたドアシステムを提供することにある。
【課題を解決するための手段】
【００１０】
上記目的を達成するため、請求項１に係るドア部取付け構造は、
ドア枠部に設けられる固定側部材と、ドア部に設けられる自由側部材とによってドア部をドア枠部に取り付けるドア部取付け構造において、前記固定側部材は、ドア枠部に固定されたベース部と、該ベース部の側部から延出して設けられ前記固定状態でドア枠部から側方に突出する支持部と、該支持部に前記ベース固定状態における上下方向に位置調整可能に保持される心棒と、を有し、前記自由側部材は、前記ドア部に固定されるベース部と、該ベース部の側部から延出して設けられ前記固定状態でドア部から側方に突出し、前記心棒に上方から被せられ天井内側面で前記心棒の上端部と当接される心棒受け部と、を有し、前記ドア部は、前記固定側部材の心棒上端部と前記自由側部材の心棒受け部との前記当接状態にて前記ドア枠部に支持されることを特徴とする。
【００１１】
これにより、ドア部は、前記支持部に保持された心棒の上下方向の位置を調整、例えば、心棒を上方に移動させることにより、その支持される位置が上昇する。したがって、心棒を上方に移動動作させることによりドア部の下端部の床面からの離反距離を広げることができる。また、ドア部の回転動作は、ドア枠部に設けられた固定側部材である心棒の上端部とドア部に設けられた自由側部材である心棒受け部の天井内側面の当接部で支持されて行われる。したがって、ドア部の回転動作時における摩擦はその当接部のみに生じるので大きな抵抗とならず、また、特別なメインテナンスを要することなくスムーズな回転動作が確保される。
【００１２】
請求項２に係るドア部取付け構造は、
前記心棒の上下方向の位置調整のための構造が、前記支持部に設けられ内部に雌ねじの切られた円筒状の心棒受け部と、前記心棒の外周面に前記受け部のねじに螺合可能に形成された雄ねじ部と、によって構成され、前記心棒を回転させることによって、前記支持部による前記心棒の上下方向の保持位置を調整するようにしたことを特徴とする。これにより、構成部材を付加することなく且つ簡単な構成で心棒の上下方向の位置調整が可能となっている。
【００１３】
請求項３に係るドア部取付け構造は、
前記心棒の上端部は略球面凸状に形成され、前記心棒受け部の前記天井内側面は平坦面に形成され、前記心棒の上端部の前記心棒受け部の前記天井内側面への当接は略点接触状態となることを特徴とする。これにより、心棒と心棒受け部とのドア部回転時の摩擦は非常に小さいものとなり、ドアの開閉動作はよりスムーズ且つ軽快なものとなる。
【００１４】
請求項４に記載のドア部取付け構造は、
前記支持部の心棒保持筒の下端部は開放端とされ、前記心棒の前記心棒保持筒への螺合状態における下端面には外部からの回転力を受けるための係止部が形成されたことを特徴とする。これにより、利用者は心棒保持筒の下端側から心棒に回転力を加えることによって簡単に心棒を回転させることができる。例えば、心棒の下端にドライバーに係合するマイナス或いはプラスの溝を形成しておくことによって、利用者はドライバーにより簡単に心棒を回転させ、ドア部を上方に上昇させることができる。
【００１５】
請求項５に記載のドア部取付け構造は、
前記請求項１から４の何れかに記載のドア部取付け構造を備え、前記ドア部のサイズは、前記ドア部の初期取付状態におけるドア部上端面と前記ドア枠部の上端内側面との間に前記ドア部の上方移動を許容する間隙を確保できる大きさとされ、前記ドア部の上端部には、前記初期取付状態におけるドア閉状態で前記間隙を覆い、且つ前記ドア枠部の上辺部の外表面まで伸びる上部延出部が設けられたことを特徴とする。
【００１６】
この構成によれば、ドア部をその上下位置を高くすることを可能とするため、ドア部の上端部とドア枠部の上辺との間にドア部上昇を許容するたの隙間が形成されているが、この隙間をドア部を上方に移動させる前の通常の状態、すなわち初期取付状態において覆い隠すことができ、ドア部上部箇所の美観を損ねることがない。また、ドア部を上昇させた場合にも上部延出部の位置がドア部と共に上昇するだけなので同じく美観上の問題は生じない。
【００１７】
請求項６に記載のドア部取付け構造は、
前記請求項１から４の何れかに記載のドア部取付け構造を備え、前記ドア部側のラッチボルト及びデッドボルトの突出動作を許容するために前記ドア枠部の側辺部に設けられる凹部の形成領域を上方へ延長したことを特徴とする。これにより、ドア部を上方に移動させた場合にもドア部側のラッチボルト及びデッドボルトのドア枠部側への突出動作に支障が生じることがない。
【考案の効果】
【００１８】
上記構成のドア部取付け構造及びこれを用いたドアシステムによれば、簡単な動作により、ドア部の高さ位置を高くすることができ、また、ドア部の回転動作時における摩擦も大きなものとなることがなく、スムーズな回転動作が確保される。
【考案を実施するための最良の形態】
【００１９】
以下、図面に基づいて本考案の好適な実施例について詳細に説明する。図１、図２及び図３は、本考案に係るドア部取付け構造の構成部材を示しており、図１及び図２は、ドア枠部に取り付けられる固定側部材１０の説明図、図３はドア部に取り付けられる自由側部材２０の説明図である。
【００２０】
まず、図１（Ａ）に示したように固定側部材１０において、ドア枠の側辺の内側面に固定されるベース部１２は平板状に構成され、ねじ等の固定用部材を挿通させるための小孔１３が複数個形成されている。このベース部１２には、支持部１４が側方に延出して設けられており、ベース部１２全面がドア枠の側辺に取り付けられ、その状態で支持部１４がドア枠の側辺部から突出するように構成されている。
【００２１】
支持部１４は、ベース部１２から突出した突出アーム部１２ａとこの端縁に設けられた心棒１６保持用の心棒保持筒１８を有しており、心棒保持筒１８は筒状体に構成され、心棒１６を内部で上下動させることを許容し、且つ心棒１６の上昇位置でも心棒１６をしっかりと保持することのできる長さを有している。本実施の形態では心棒１６の６割以上の長さを覆っている。また、心棒保持筒１８の内側面にはねじ部１８ａ（本実施の形態では雌ねじ）が切られており、心棒保持筒１８の上端部には、心棒１６の過度な上方向への移動を規制するため内方にやや突出したネジストッパ１８ｃを心棒１６の装着後に付加してもよい。
【００２２】
一方、図１（Ｂ）に示した様に、心棒１６は、略円柱状の形状を有し、外周面には上記心棒保持筒１８のねじ部１８ａに螺合するねじ部１６ａ（本実施の形態では雄ねじ）が切られている。また、心棒１６の上端部１６ｂは略球面の凸状に構成され、下端部である底部端面には、ドライバー等の回転力伝達手段の回転力を受ける係止部としての溝部（ドライバーの端部に対応するマイナス又はプラスの溝部）１６ｃが設けられている。心棒１６の心棒保持筒１８内への挿入は、ネジズトッパ１８ｃが後付け式の場合、このネジズトッパ１８ｃを設ける前に心棒保持筒１８の上部開口から螺入するか、心棒保持筒１８の底部を着脱可能なキャップ状の構成とし、底部側から螺入することによって行う。
【００２３】
図２は、心棒１６が心棒保持筒１８に装着された状態が示されており、図示のように、心棒１６のねじ部１６ａが心棒保持筒１８のねじ部１８ａに螺合され、心棒保持筒１８の底部１８ｂに心棒１６の底部がほぼ近接するまで螺入される。  図３は、ドア部に取り付けられる自由側部材２０を示しており、ドア部の側辺の端面にその全面が装着されるベース部２２を有し、このベース部２２には取り付け用の小孔２４が複数設けられている。ベース部２２にはドア部への取付状態において外方に突出する突出部２６が設けられ、その先端部に心棒受け部２８が形成されている。
【００２４】
心棒受け部２８は、天井部２８ａの形成された底部開放の筒状体として構成され、上述の固定側部材１０の心棒１６及び心棒保持筒１８の上端部に被せられそれらを覆う内部空間を有している。天井部２８ａの内側面２８ｂは略平坦な面として構成され、この心棒１６に被せられた状態で心棒１６の略球面凸状の上端部１６ｂが当接された状態となる。また、心棒受け部２８の下端部は、心棒１６に被せられた設置状態において、心棒保持筒１８の上端部を覆うカバー部２８ｃを有している。このカバー部２８ｃは心棒１６の上下方向位置の移動、すなわち上昇移動しても心棒１６が露出しない様に余裕を持って心棒保持筒１８の上端部を覆うサイズを有している。
【００２５】
図４は、固定側部材１０に自由側部材２０が装着された状態を示しており、図示のように、心棒１６の略球面凸状の上端部１６ｂは心棒受け部２８の天井内側面２８ｂに当接されている。また、心棒１６は心棒保持筒１８に螺合されてその底部が心棒保持筒１８の底部の直近で止まっている。この状態で、自由側部材２０が取り付けられているドア部は、回動動作することが可能である。すなわち、心棒１６の略球面凸状の上端部１６ｂと心棒受け部２８の天井内側面２８ｂとが唯一の接点となってドア部が支持され、ドア部は小さな摩擦で回転動作することができる。
【００２６】
次に、図５はドア部の高さ位置を調整するための調整が行われた状態の固定側部材１０と自由側部材２０との装着状態が示されている。図示のように、心棒１６は回転動作され、ねじ部１６ａ、１８ａの機能により、矢印２００方向に高さｈだけ上昇した状態となっている。この心棒１６の回転動作は、心棒保持筒１８の底部１８ｄに形成された開口１８ｅからドライバー１９等を挿入して心棒１６の底部の溝部１６ｃに係合させ回転力を加えて回すのが好適である。
【００２７】
この心棒１６の上昇により、心棒１６の上端部１６ｂも当然に高さｈ分上昇し、心棒受け部２８をその当接部で押し上げている。したがって、自由側部材２０の取り付けられているドア部は高さｈだけ持ち上げられた状態となっている。
【００２８】
図６（Ａ）及び（Ｂ）は、上記心棒１６の回転動作により、固定側部材１０に対して自由側部材２０が高さｈだけ上昇したことによるドア部３００の上昇状態を示している。同図（Ａ）は上昇前のドア部３００と床面４００及びドア枠５００の上辺部５００ａとの位置関係を示しており、同図（Ｂ）図７は同じく上昇後の位置関係を示している。図示のように、ドア部３００の上昇後は床面４００とドア部３００の下端部との間隔が高さｈだけ広がっている。これにより、矢印６００方向にドア部３００が回転動作される際に、床面４００上に絨毯等の敷物が敷かれた場合でもこの敷物が邪魔になってドア部３００の回転が妨げられることはない。
【００２９】
また、本実施の形態では、ドア部３００のサイズは、同図（Ａ）に示した通常の設置状態において、ドア部３００の上端部とドア枠５００の上辺部５００ａの下端面との間に空隙Ｘが確保されるように設定されている。この空隙部Ｘは、ドア部３００の上昇移動を許容するための空間であり、同図（Ｂ）に示したように、ドア部３００が上昇した位置ではほぼドア部３００の上端部で占有された状態となっている。
【００３０】
更に、ドア部３００の通常の取付状態において上記空隙部Ｘが外方から見えることにより美観が損なわれることを防止するため、本実施の形態では、ドア部３００の上端部外側面には、空隙部Ｘを外方から覆い、ドア枠部５００の上辺部５００ａの外表面を若干カバーする位置まで伸びる上部延出部３０２が設けられている。この上部延出部３０２は、図８のドア部３００の正面視説明図に示したように、ドア部表面の化粧用部材として設けるのが好適である。例えば、図示のように、ドア部３００下端部にも同様の外表面（色彩や模様）を有する表面化粧材３０４を設け、更に他の部分にも一連の統一されたデザインとして表面化粧材を設置することで、違和感なくカバー部材３０の設置が可能となる。
【００３１】
また、ドア部３００の上端部とドア枠５００の上辺部５００ａの下端面の互いに対向する面には、相互が柔軟に接触するように弾力性のあるシート部材３０６が付設されている。
【００３２】
図７（Ａ）及び（Ｂ）は、ドア枠部５００の側辺部５００ｂに設けられるラッチボルトやデッドボルト用の凹部について、ドア部３００の上昇を許容するため遊び領域を付加した構成を示している。同図（Ａ）はドア部３００の通常の設置状態を示しており、同図（Ｂ）はドア部３００の上昇した状態を示している。図示のように、ドア部３００側には、ドアノブ７００の操作に基づいて突出動作／戻り動作を行いドア部３００を係止状態／解除状態に切り替えるラッチボルト６００が設けられている。そして、このラッチボルト６００が係止される凹部８００がドア枠部５００の側辺部５００ｂに形成されている。
【００３３】
本実施の形態で特徴的なことは、凹部８００が従来の凹部よりも上下方向に長く形成されていることであり、図示のように、通常状態である同図（Ａ）のラッチボルト６００の位置から、ドア部３００の上昇した同図（Ｂ）に示したラッチボルト６００の位置までの移動を許容するような上下方向サイズに形成されている。これにより、ラッチボルト６００がドア枠部５００の側辺部５００ｂに衝突するような状況を回避することができ、ドア部３００の上方への移動動作を支障なく行うことができる。
【００３４】
なお、本考案は上記構成の実施の形態に限定されるものではなく、考案の要旨の範囲内で種々の変形が可能である。例えば、心棒１６の上端部の形状や心棒受け部２８の天井内側面の形状は実施の形態に示したものに限定されるものではなく、互いに平坦な形状、或いは、天井内側面２８ｂ側を凸状とし、心棒上端部１６ｂを平坦な形状として回転時の摩擦を小さくすることも可能である。
【図面の簡単な説明】
【００３５】
【図１】本考案の実施の形態に係る固定側部材の構成説明図である。
【図２】図１の固定側部材の装着状態を示す説明図である。
【図３】本考案の実施の形態に係る自由側部材の構成説明図である。
【図４】実施の形態に係る固定側部材に自由側部材を装着した通常状態を示す説明図である。
【図５】実施の形態に係る固定側部材に自由側部材を装着し、心棒を上方へ移動させた状態を示す説明図である。
【図６】（Ａ）及び（Ｂ）は本発明に係るドア部取付構造により、ドア部を取付けた通常状態と上昇状態を示す説明図である。
【図７】（Ａ）及び（Ｂ）は本発明に係るドア部取付構造により取り付けたドア部のラッチボルト部分の通常状態と上昇状態を示す説明図である。
【図８】本発明に係るドアシステムのドア部の正面視説明図である。
【符号の説明】
【００３６】
１０  固定側部材
１２  ベース
１６  心棒
１６ｂ  球面状上端部
１８  心棒保持筒
２０  自由側部材
２２  ベース
２８  心棒受け部
２８ａ  天井内側面
３００  ドア部
３０２  上部延出部
５００  ドア枠部
８００  ラッチボルトを受ける凹部
【図１】
0003115846.tif 000003
【図２】
0003115846.tif 000004
【図３】
0003115846.tif 000005
【図４】
0003115846.tif 000006
【図５】
0003115846.tif 000007
【図６】
0003115846.tif 000008
【図７】
0003115846.tif 000009
【図８】
0003115846.tif 000010